【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
第１の支持パネル乃至第３の支持パネルと、発光パネルと、を有し、
前記発光パネルは、前記第１の支持パネル乃至前記第３の支持パネルよりも可撓性が高い第１の領域乃至第５の領域を有し、
前記第２の領域は、前記第１の領域と前記第３の領域との間に位置し、
前記第４の領域は、前記第３の領域と前記第５の領域との間に位置し、
前記第１の支持パネルは、前記第１の領域と重なっており、
前記第２の支持パネルは、前記第３の領域と重なっており、
前記第３の支持パネルは、前記第５の領域と重なっており、
前記第２の領域は、前記第１の支持パネル乃至前記第３の支持パネルと重なっておらず、
前記第４の領域は、前記第１の支持パネル乃至前記第３の支持パネルと重なっておらず、
前記第２の領域または前記第４の領域の一方を内曲げし、前記第２の領域または前記第４の領域の他方を外曲げすることで折り畳み可能となる発光装置。
【請求項２】
第１の支持パネル乃至第３の支持パネルと、発光パネルと、第１の保護層と、を有し、
前記発光パネルは、前記第１の支持パネル乃至前記第３の支持パネルよりも可撓性が高い第１の領域乃至第５の領域を有し、
前記第１の保護層は、前記第１の支持パネル乃至前記第３の支持パネルよりも可撓性が高く、
前記第２の領域は、前記第１の領域と前記第３の領域との間に位置し、
前記第４の領域は、前記第３の領域と前記第５の領域との間に位置し、
前記第１の支持パネルは、前記第１の保護層を介して前記第１の領域と重なっており、
前記第２の支持パネルは、前記第１の保護層を介して前記第３の領域と重なっており、
前記第３の支持パネルは、前記第１の保護層を介して前記第５の領域と重なっており、
前記第２の領域は、前記第１の支持パネル乃至前記第３の支持パネルと重なっておらず、
前記第４の領域は、前記第１の支持パネル乃至前記第３の支持パネルと重なっておらず、
前記第２の領域または前記第４の領域の一方を内曲げし、前記第２の領域または前記第４の領域の他方を外曲げすることで折り畳み可能となる発光装置。
【請求項３】
第１の支持パネル乃至第６の支持パネルと、発光パネルと、を有し、
前記発光パネルは、前記第１の支持パネル乃至前記第６の支持パネルよりも可撓性が高い第１の領域乃至第５の領域を有し、
前記第２の領域は、前記第１の領域と前記第３の領域との間に位置し、
前記第４の領域は、前記第３の領域と前記第５の領域との間に位置し、
前記第１の支持パネルは、前記第１の領域を介して前記第４の支持パネルと重なっており、
前記第２の支持パネルは、前記第３の領域を介して前記第５の支持パネルと重なっており、
前記第３の支持パネルは、前記第５の領域を介して前記第６の支持パネルと重なっており、
前記第２の領域は、前記第１の支持パネル乃至前記第６の支持パネルと重なっておらず、
前記第４の領域は、前記第１の支持パネル乃至前記第６の支持パネルと重なっておらず、
前記第２の領域または前記第４の領域の一方を内曲げし、前記第２の領域または前記第４の領域の他方を外曲げすることで折り畳み可能となる発光装置。
【請求項４】
第１の支持パネル乃至第６の支持パネルと、発光パネルと、第１の保護層及び第２の保護層と、を有し、
前記発光パネルは、前記第１の支持パネル乃至前記第６の支持パネルよりも可撓性が高い第１の領域乃至第５の領域を有し、
前記第１の保護層は、前記第１の支持パネル乃至前記第６の支持パネルよりも可撓性が高く、
前記第２の保護層は、前記第１の支持パネル乃至前記第６の支持パネルよりも可撓性が高く、
前記第２の領域は、前記第１の領域と前記第３の領域との間に位置し、
前記第４の領域は、前記第３の領域と前記第５の領域との間に位置し、
前記第１の支持パネルは、前記第１の保護層、前記第１の領域、及び前記第２の保護層を介して前記第４の支持パネルと重なっており、
前記第２の支持パネルは、前記第１の保護層、前記第３の領域、及び前記第２の保護層を介して前記第５の支持パネルと重なっており、
前記第３の支持パネルは、前記第１の保護層、前記第５の領域、及び前記第２の保護層を介して前記第６の支持パネルと重なっており、
前記第２の領域は、前記第１の支持パネル乃至前記第６の支持パネルと重なっておらず、
前記第４の領域は、前記第１の支持パネル乃至前記第６の支持パネルと重なっておらず、
前記第２の領域または前記第４の領域の一方を内曲げし、前記第２の領域または前記第４の領域の他方を外曲げすることで折り畳み可能となる発光装置。
【請求項５】
第１の支持パネル及び第２の支持パネルと、発光パネルと、を有し、
前記発光パネルは、前記第１の支持パネル及び前記第２の支持パネルよりも可撓性が高い第１の領域乃至第３の領域を有し、
前記第２の領域は、前記第１の領域と前記第３の領域との間に位置し、
前記第１の支持パネルは、前記第１の領域と重なっており、
前記第２の支持パネルは、前記第３の領域と重なっており、
前記第２の領域は、前記第１の支持パネル及び前記第２の支持パネルと重なっておらず、
前記第２の領域を内曲げまたは外曲げすることで折り畳み可能となる発光装置。
【請求項６】
第１の支持パネル及び第２の支持パネルと、発光パネルと、第１の保護層と、を有し、
前記発光パネルは、前記第１の支持パネル及び前記第２の支持パネルよりも可撓性が高い第１の領域乃至第３の領域を有し、
前記第１の保護層は、前記第１の支持パネル及び前記第２の支持パネルよりも可撓性が高く、
前記第２の領域は、前記第１の領域と前記第３の領域との間に位置し、
前記第１の支持パネルは、前記第１の保護層を介して前記第１の領域と重なっており、
前記第２の支持パネルは、前記第１の保護層を介して前記第３の領域と重なっており、
前記第２の領域は、前記第１の支持パネル及び前記第２の支持パネルと重なっておらず、
前記第２の領域を内曲げまたは外曲げすることで折り畳み可能となる発光装置。
【請求項７】
第１の支持パネル乃至第４の支持パネルと、発光パネルと、を有し、
前記発光パネルは、前記第１の支持パネル乃至前記第４の支持パネルよりも可撓性が高い第１の領域乃至第３の領域を有し、
前記第２の領域は、前記第１の領域と前記第３の領域との間に位置し、
前記第１の支持パネルは、前記第１の領域を介して前記第３の支持パネルと重なっており、
前記第２の支持パネルは、前記第３の領域を介して前記第４の支持パネルと重なっており、
前記第２の領域は、前記第１の支持パネル乃至前記第４の支持パネルと重なっておらず、
前記第２の領域を内曲げまたは外曲げすることで折り畳み可能となる発光装置。
【請求項８】
第１の支持パネル乃至第４の支持パネルと、発光パネルと、第１の保護層及び第２の保護層と、を有し、
前記発光パネルは、前記第１の支持パネル乃至前記第４の支持パネルよりも可撓性が高い第１の領域乃至第３の領域を有し、
前記第１の保護層は、前記第１の支持パネル乃至前記第４の支持パネルよりも可撓性が高く、
前記第２の保護層は、前記第１の支持パネル乃至前記第４の支持パネルよりも可撓性が高く、
前記第２の領域は、前記第１の領域と前記第３の領域との間に位置し、
前記第１の支持パネルは、前記第１の保護層、前記第１の領域、及び前記第２の保護層を介して前記第３の支持パネルと重なっており、
前記第２の支持パネルは、前記第１の保護層、前記第３の領域、及び前記第２の保護層を介して前記第４の支持パネルと重なっており、
前記第２の領域は、前記第１の支持パネル乃至前記第４の支持パネルと重なっておらず、
前記第２の領域を内曲げまたは外曲げすることで折り畳み可能となる発光装置。